(57)【要約】【課題】  ぜんまいバネの一端が係着されるバネ固定軸を細径にしても、十分に鋼製のぜんまいバネに対応可能な強度を有した測定用テープの巻取用ぜんまいバネのバネ固定軸を備える巻尺を提供することを目的とする。【解決手段】  巻尺１のケース２内に立設するバネ固定軸６，６´を、樹脂素材によってケース２を成形する時にケース２の素材と同じ素材で同時に一体に成形し、また、バネ固定軸６，６´を軸方向に２分割するようにスリット８を形成し、スリット８は、ぜんまいバネの表面をバネ固定軸６，６´の軸方向に向けつつぜんまいバネを嵌通させることができるように構成し、スリット８を挟んで互いに対向するバネ固定軸６，６´の各面を凹状（凹部１４，１４´）に形成する。【選択図】  図１
2020020812.tif 000002
【特許請求の範囲】
【請求項１】
巻尺において、
該巻尺の測定用テープの巻取用ぜんまいバネの一端が係着されるバネ固定軸であって、
上記バネ固定軸は、上記巻尺のケースと一体に成形されており、また、該バネ固定軸を軸方向に２分割するスリットが形成されており、
上記スリットは、上記ぜんまいバネの表面を上記バネ固定軸の軸方向に向けつつ上記ぜんまいバネを嵌通させることができるように構成されており、
上記スリットを挟んで互いに対向する上記バネ固定軸の各面が、凹状に形成されていることを特徴とする測定用テープの巻取用ぜんまいバネのバネ固定軸を備える巻尺。
【請求項２】
上記バネ固定軸の外周面及び上記凹状部の内周面のうちの少なくとも一方が、円弧状に形成されていることを特徴とする請求項１に記載の測定用テープの巻取用ぜんまいバネのバネ固定軸を備える巻尺。
【請求項３】
上記スリットが、上記バネ固定軸の軸方向におけるバネ固定軸の全域に延びていることを特徴とする請求項１又は請求項２に記載の測定用テープの巻取用ぜんまいバネのバネ固定軸を備える巻尺。
【請求項４】
上記バネ固定軸が、上記ケースの成形時に該ケースの素材と同じ樹脂素材によって一体に成形されていることを特徴とする請求項１〜３のいずれかに記載の測定用テープの巻取用ぜんまいバネのバネ固定軸を備える巻尺。
【発明の詳細な説明】
【技術分野】
【０００１】
本発明は、巻尺における鋼製のぜんまいバネの一端が係着されるバネ固定軸に関し、詳しくは、樹脂素材からなるケース一体成型のぜんまいバネのバネ固定軸を備える巻尺に関する。
【背景技術】
【０００２】
自動巻き取り式の巻尺は、内装する鋼製のぜんまいバネによって引き出した測定用テープを自動でケース内に巻き取っている。ぜんまいバネは、一端がケースの内壁に立設されたバネ固定軸に係着され、他端が測定用テープに直接的あるいは間接的に接続されている。
【０００３】
従来、主に職人が使用する巻尺のバネ固定軸は鋼製であり、このバネ固定軸をケースの内壁に立設する場合、一般的にはケースに形成した開口にバネ固定軸を圧入したり、ケースを成形する時に鋼製のバネ固定軸を一体に設けてケースの内壁に立設していることが多い。
【０００４】
上述の方法でバネ固定軸を立設するには、ケース内のバネ固定軸が立設される部位の補強が必要であることから、バネ固定軸が立設される部位の周辺部の材料を相当に厚くしたり、また、バネ固定軸の基部を支える軸受部を外方に広げるなどして強度を持たせた基部構造にしてケースを形成する必要があった。
【０００５】
このため、オフィスや教育機関などで使用される小型の巻尺をより小型化して携帯性などを向上させようとしても、上述のようにバネ固定軸の立設に制約があったことから、小型の巻尺をより小型にするときは、樹脂素材によって巻尺のケースを成形する時にバネ固定軸もケースの素材と同じ素材で同時に一体に成形し、ケースの内壁にバネ固定軸を立設していることが多い。
【０００６】
そして、ケースの素材と同じ樹脂素材で形成されたバネ固定軸は、測定テープが引き出される際にバネ固定軸に巻き付いてバネ固定軸を締め付ける鋼製のぜんまいバネが係着されることから相当な強度を必要とするので、図５に示すように、ぜんまいバネが係着されるスリット３０を有した断面半月状に形成したバネ固定軸３２，３２´の径を太くするとともに、基部３４の樹脂を厚くして強度を上げるようにすることが多かった。
【０００７】
しかし、バネ固定軸の径が太くなることにより、ぜんまいバネを収納するためのスペース、ぜんまいバネに接続されて巻かれた状態で収納される測定用テープの収納スペースも広く必要となるため、小型の巻尺のさらなる小型化は思うように進んでいなかった。
【先行技術文献】
【特許文献】
【０００８】
【特許文献１】実用新案登録第３２１１４４０号公報
【発明の概要】
【発明が解決しようとする課題】
【０００９】
本発明は、バネ固定軸を細径にしても、十分に鋼製のぜんまいバネに対応可能な強度を有した測定用テープの巻取用ぜんまいバネのバネ固定軸を備える巻尺を提供することを目的とする。
【課題を解決するための手段】
【００１０】
本発明の測定用テープの巻取用ぜんまいバネのバネ固定軸を備える巻尺の一実施例においては、巻尺において、巻尺の測定用テープの巻取用ぜんまいバネの一端が係着されるバネ固定軸であって、バネ固定軸は、巻尺のケースと一体に成形されており、また、バネ固定軸を軸方向に２分割するスリットが形成されており、スリットは、ぜんまいバネの表面をバネ固定軸の軸方向に向けつつぜんまいバネを嵌通させることができるように構成されていて、さらに、スリットを挟んで互いに対向するバネ固定軸の各面が、凹状に形成されていることを特徴とする。
【００１１】
また一実施例においては、バネ固定軸の外周面及び凹状部の内周面のうちの少なくとも一方が、円弧状に形成されていることを特徴とする。
【００１２】
また一実施例においては、スリットが、バネ固定軸の軸方向におけるバネ固定軸の全域に延びていることを特徴とする。
【００１３】
また一実施例においては、バネ固定軸が、ケースの成形時にケースの素材と同じ樹脂素材によって一体に成形されていることを特徴とする。
【図面の簡単な説明】
【００１４】
【図１】本発明のバネ固定軸の一実施例を示す斜視図。
【図２】本発明のバネ固定軸を設けた巻尺の内部の一実施例を示す平面図。
【図３】バネ固定軸の他の形態の一実施例を示す斜視図。
【図４】バネ固定軸の平面図。
【図５】従来のバネ固定軸を示す斜視図。
【発明を実施するための形態】
【００１５】
本発明の巻尺における鋼製のぜんまいバネの一端が係着されるバネ固定軸（バネ接触型固定軸とも呼ばれる）について、添付の図面を参照しつつ説明する。本実施例では、バネ固定軸が立設された巻尺のケースの身の部分を示している。なお、蓋は別体として設けられている。
【００１６】
図１に示すように、巻尺１における身の部分のケース２の内底４に軸方向に２分割されたバネ固定軸６，６´が、ケース２の成形時にケース２の素材と同じ樹脂素材（合成樹脂）によって同時に一体に成形されている。
【００１７】
バネ固定軸６，６´の間にはスリット８が設けられていて、スリット８は、バネ固定軸６，６´の先端１０と基部１２との間のバネ固定軸６，６´の全域に設けられている。
【００１８】
また、スリット８を挟んで互いに対向しているバネ固定軸６，６´の各面は、凹状（凹部１４，１４´）に形成されている。
【００１９】
そして、バネ固定軸６，６´の外周面および凹部１４，１４´の内周面は、弧状に形成された曲面になっている。
【００２０】
図２は、本発明のバネ固定軸が設けられた巻尺１の内部を示している。巻尺１における身の部分のケース２の内底４に立設されたバネ固定軸６，６´のスリット８に、ぜんまいバネ１８の一端が係着され、他端が巻胴部２０の内面（内壁）に係着されている。
【００２１】
そして、巻胴部２０には、一端が巻胴部２０の外面（外壁）に係着された測定用テープ１６が巻かれていて、測定用テープ１６におけるケース２のテープ出入口２２から進出している測定用テープ１６の他端にはフック２４が設けられている。
【００２２】
図３は、バネ固定軸６，６´の他の形態の一実施例を示している。スリット８をバネ固定軸６，６´の基部１２まで形成するのではなく、基部１２の少し上方で止めて基部１２の樹脂を厚くしている。
【００２３】
図４は、バネ固定軸６，６´の平面図である。図４（ａ）は、バネ固定軸６，６´の厚みを概ね一定に形成した実施例である。図４（ｂ）は、バネ固定軸６，６´の厚みをバネ固定軸６，６´の各々において両端部よりも中央付近（Ａ矢印の部分）の厚みを少し薄く形成した実施例であり、巻尺に装備される測定用テープやぜんまいバネの幅や厚み等の仕様によって選定される。
【００２４】
また、ぜんまいバネの一端が係着される本発明のバネ固定軸６，６´は、測定用テープのテープ幅が約２５ｍｍ以下の鋼製または樹脂（グラスファイバを含む）製等の測定用テープが装備される巻尺に適している。とりわけテープ幅が約６ｍｍ〜１３ｍｍの測定用テープが装備される巻尺がより適する。
【００２５】
本発明のバネ固定軸６，６´によれば、平面視湾曲状にバネ固定軸６，６´が形成されていることから、ぜんまいバネ１８がバネ固定軸６，６´を円周方向に順次揺さ振るように締め付けて巻き付いていっても、バネ固定軸６，６´が適度に揺動また変形するので、揺さ振られる力を相当に緩和することができる。すなわち、バネ固定軸６，６´が平面視湾曲状に形成されていることによってバネ固定軸６，６´に柔軟性が生じ、ぜんまいバネ１８によって揺さ振られたときの力が基部１２に集中することなくバネ固定軸６，６´の全体に分散される。
【００２６】
これにより、細径のバネ固定軸６，６´をケース内壁に立設することができるので、少なくとも細径（小径）にダウンサイジングされたバネ固定軸６，６´の寸法をケースの小型化に充てることができる。これは、巻尺のさらなる小型化に貢献できる技術である。
【００２７】
さらに、バネ固定軸６，６´は、ぜんまいバネ１８によって揺さ振られたときの力を分散させることができることから、スリット８をバネ固定軸６，６´の基部１２または基部付近まで形成しても基部１２の強度を十分に保てることができるので、ケース２の成形時に、バネ固定軸６，６´が形成されるケース２の内面の反対側になるケース２の外面に生じているヒケ（窪み）を低減させることができる。
【符号の説明】
【００２８】
１…巻尺
２…ケース
４…内底
６…バネ固定軸
６´…バネ固定軸
８…スリット
１０…先端
１２…基部
１４…凹部
１４´…凹部
１６…測定用テープ
１８…ぜんまいバネ
２０…巻胴部
２２…テープ出入口
２４…フック
３０…スリット
３２…バネ固定軸
３２´…バネ固定軸
３４…基部
【図１】
2020020812.tif 000003
【図２】
2020020812.tif 000004
【図３】
2020020812.tif 000005
【図４】
2020020812.tif 000006
【図５】
2020020812.tif 000007